(57)【特許請求の範囲】
【請求項１】
略長方形の底部と、前記底部の周囲に立設された側壁と、前記底部の後方側に設けられた排水口とを有する湯灌車搭載用の湯灌槽において、前記底部には、当該底部の長手方向に延びかつ当該底部の前方よりも後方が低くなるように傾斜するテーパーがつけられた排水溝が形成されており、該排水溝により底部には段差が形成され、前記排水口は、前記排水溝の後方端部に位置しており、前記排水溝は、前記排水口に近づくに従って徐々に幅が狭くなるように形成されるとともに前記排水口幅に略収束するように形成され、排水時に当該湯灌槽内に残留した排水及び汚物が効率良く前記排水口に集中するように構成され、前記底部の裏面の四角近傍には、設置面に対する設置角度が調節可能な自在脚が取り付けられていることを特徴とする湯灌車搭載用の湯灌槽。
【発明の詳細な説明】
【０００１】
【発明の属する技術分野】
本発明は、遺体の湯灌を行う湯灌サービスに使用される湯灌車搭載用の湯灌槽に関する。
【０００２】
【従来の技術】
一般に、葬儀においては、納棺に先立って、「湯灌の儀」と称される儀式が実施される場合が多い。湯灌の儀とは、故人の現世での煩悩を洗い清め、現世での汚れを一切落とし、安らかに見送ることを目的として行われる儀式である。この湯灌の儀は、主として、故人の納棺に先立って、遺体を洗浄するための専用の槽（湯灌槽）内に故人の体を横臥させ、温水を用いて故人の体を洗い清めることによって行われる。
【０００３】
このような湯灌の儀は、従来は遺族の手により行われていたが、最近では湯灌サービスの提供を専門とする湯灌業者によって執り行われるケースが増えている。湯灌業者により提供されるサービスで用いられる湯灌槽は、貯湯タンク、排水タンク、給湯用ホース、排水用ホース等と共に湯灌サービス用の特殊車両（以下、「湯灌車」という）に搭載可能に構成されている。湯灌を行うに際しては、湯灌の儀が行われる場所まで湯灌車で出向き、湯灌槽を故人が安置されている室内等に搬入する。そして、この湯灌槽内に故人の体を移し、該湯灌槽内において、温水を用いて故人の体を洗浄する。湯灌に使用された湯灌処理水は、すべて排水用ホースを介して湯灌槽から湯灌車内の排水タンクに吸引し、持ち帰るようにしている。
【０００４】
しかしながら、使用済みの湯灌処理水は、遺体からの汚垢、出血、排泄物、脱毛、治療に使われたバンソウコウテープ、包帯などの繊維屑などにより汚染している。そのため、排水時に水切れが悪く、時間がかかるだけでなく、湯灌槽内に汚物が残ってしまい、次の湯灌作業が速やかに行えないという問題があった。
【０００５】
また、湯灌槽を置く場所によっては、湯灌槽が傾いてしまうことがあり、排水が困難になるという問題があった。また、湯灌槽を置く場所が平坦でない場合、例えば床に段差があるような場合には、湯灌槽がガタついてしまい、排水に支障をきたすだけでなく、湯灌を行う際にも不安定であるという問題があった。
【０００６】
【発明が解決しようとする課題】
本発明は、効率よく排水を行うことができ、床の段差等に拘わらず安定した状態で湯灌を行うことができる湯灌車搭載用の湯灌槽を提供することを目的とする。
【０００７】
【課題を解決するための手段】
上記目的を達成するために、本発明の湯灌槽は、略長方形の底部と、前記底部の周囲に立設された側壁と、前記底部の後方側に設けられた排水口とを有する湯灌車搭載用の湯灌槽において、前記底部には、当該底部の長手方向に延びかつ当該底部の前方よりも後方が低くなるように傾斜するテーパーがつけられた排水溝が形成されており、該排水溝により底部には段差が形成され、前記排水口は、前記排水溝の後方端部に位置しており、前記排水溝は、前記排水口に近づくに従って徐々に幅が狭くなるように形成されるとともに前記排水口幅に略収束するように形成され、排水時に当該湯灌槽内に残留した排水及び汚物が効率良く前記排水口に集中するように構成され、前記底部の裏面の四角近傍には、設置面に対する設置角度が調節可能な自在脚が取り付けられていることを特徴とする。
【０００８】
上記本発明の湯灌槽によれば、底部に前方から後方に向かってテーパーがつけられた排水溝が形成されているため、効率よく排水することができる。この排水溝により湯灌槽の底部は大きな段差ができ、生きている人間の入浴には不向きであるが、死体を対象とする湯灌専用のものであるので、問題はない。
【０００９】
また、平坦でない場所に対応して、安定して設置可能な自在脚を有しているので、床面に多少の段差や傾斜があっても、湯灌槽を水平に保つことができ、安定した状態で湯灌を行うことが可能であるとともに効率よい排水を確実に行える。
【００１４】
【発明の実施の形態】
本発明に係る湯灌車搭載用の湯灌槽の実施形態について、図１ないし図６を参照して説明する。
【００１５】
図１ないし図３に示すように、湯灌槽１０は、グラスファイバあるいはプラスチック等から形成されており、上部が開放された略直方体をなしており、略長方形の底部１２と、該底部１２の周囲に立設された側壁１４とを有している。側壁１４は、底部１２の左右に立設された側壁１４Ｒ、１４Ｌ及び底部の前後に立設された側壁１４Ｆ、１４Ｂとを有している。
【００１６】
この湯灌槽１０の後部の側壁１４Ｂには、給湯用ホース４０及びシャワー４２を取り付けるための取付部４４が設けられている。また、取付部４４には、コック４６が設けられており、このコック４６を捻ることにより、図示しない湯灌車内の貯湯タンクから給湯用ホース４０を介してシャワー４２により給湯できるようになっている。
【００１７】
底部１２には、長手方向に延びた排水溝１６が形成されており、この排水溝１６には、前方（図１、図３の左側）よりも後方（図１、図３の右側）が低くなるように傾斜したテーパーがつけられている。この排水溝１６の前部は、底部１２の排水溝が形成されていない部分になめらかにつながるようになっている。この実施例では、後方端部では約４ｃｍの深さとなるようなテーパーがつけられているが、これ以上の深さとすることが可能であることは言うまでもない。また、排水溝１６の後方端部には、排水口１８が設けられている。そして排水溝１６は、全体として排水口１８に近づくに従って徐々に幅が狭くなるように構成されている。この排水溝１６を設けたことにより、底部１２にはかなりの段差ができているため、生きている人間が入浴するのには向いていないが、湯灌専用に用いる場合には、排水時に湯灌槽１０内に残留した排水や汚物が効率よく排水口１８に集中するようになっている。
【００１８】
この排水溝１６は、具体的には、次のように構成されている。即ち、図３に示すように、排水溝１６は、底部１２の前方端部から略中央部まで延びる第１部分１６Ｆと、この第１部分の後方端部から底部１２の後方端部に延びる第２部分１６Ｂとから構成されている。この排水溝１６の第１部分１６Ｆは、一定の幅を有する略長方形であって、底部１２の長手方向に対してほぼ平行に形成されている。また、該排水溝１６の第２部分１６Ｂは、略三角形に形成されており、後方端部に形成された排水口１８に近づくに従って徐々に幅が狭くなるように形成されている。
【００１９】
また、底部１２の排水溝が形成されていない部分は、図５に示すように、外側よりも内側が低くなるようにそれぞれ傾斜している。
【００２０】
従って、排水の際には、水及び汚物は、底部１２の排水溝が形成されていない部分にから排水溝１６に向かって流れ、排水溝１６に溜まった水は第１部分１６Ｆから第２部分１６Ｂに向かって流れ、そして、排水口１８から排出される。
【００２１】
排出された湯灌処理水は、湯灌槽の底部に取り付けられた排水管１９に連結された排水用ホース５０を介して排出され、図示しない湯灌車内の排水タンクにすべて吸引されるようになっている。
【００２２】
上記底部１２の左右に立設された側壁１４Ｒ、１４Ｌの内面には、図４及び図５に示すように、当該側壁１４Ｒ、１４Ｌの上端側から下端側に向かって内側に傾斜するテーパー部１５ａが形成されている。また、上記底部１２の前後に立設された側壁１４Ｆ、１４Ｂの内面にも、図６に示すように、当該側壁１４Ｆ、１４Ｂの上端側から下端側に向かって内側に傾斜するテーパー部１５ｂが形成されている。なお、テーパー部１５ｂの傾斜角度はテーパー部１５ａの傾斜角度よりも大きく設定されている。このように、側壁１４にはテーパーが形成されているので、水の流れの効率が良くなる。
【００２３】
なお、湯灌槽１０内部における底部１２と側壁１４との間及び各側壁１４間はなめらかな曲面になっており、排水時にゴミ等が湯灌槽１０内に残留しにくいようになっている。
【００２４】
また、底部１２の裏面には、四角近傍にそれぞれ脚３０が取り付けられている。各脚３０は、底部１２の裏面に一体に形成された円筒形の延出部３２を有しており、各延出部３２には、ユニバーサルジョイントを有する自在脚３４が連結されている。
【００２５】
各自在脚３４は、一端に雄ねじが形成されるとともに、他端に球体が一体に形成された軸部と、前記軸部球体を介して傾動自在に連結された設置部材とを有している。そして、軸部の雄ねじ部を延出部３２の軸方向に螺合し、該雄ねじ部の下端部に固着されたナットにより延出部３２に固定される。従って、設置部材は、湯灌槽が置かれる場所が平坦でない場合でも、軸に対して傾動可能なので、例えば湯灌槽が置かれる場所が傾いている場合であっても、湯灌槽１０を安定して水平に保つことが可能である。
【００２６】
また、底部１２及び側壁１４の厚みは従来のものよりも薄くなっており、そのため、従来と比較して湯灌槽１０が軽くなり、湯灌槽１０の搬入、搬出等の持ち運びを容易に行うことができる。
【００２７】
次に、上記実施形態の湯灌槽１０を使用して湯灌を行う行程について説明する。
【００２８】
まず、湯灌槽１０、給湯用ホース４０、排水用ホース５０及び図示しない貯湯タンク、排水タンク等が搭載された湯灌車で湯灌が行われる場所まで出向き、湯灌槽１０を給湯用ホース４０及び排水用ホース５０とともに湯灌が行われる室内に搬入する。この際、各脚３０は、ユニバーサルジョイントを有する自在脚３４を有しているので、床面が傾いている場合でも、湯灌槽１０を水平に保つことができる。従って、安定した状態で湯灌を行うことができる。
【００２９】
上記構成の湯灌槽１０には、予めネットを張った担架（図示せず）が載置されている。ここで用いられる担架は、湯灌槽１０に載置できるように、側壁１４の上端部とほぼ同じサイズの長方形の外枠を有しており、この外枠の内側に水切れの良いネットを張ってある。このように湯灌槽１０に載置されている担架のネット上に、衣服を脱がせバスタオル等を掛けられた遺体が湯灌従事者によって運ばれる。
【００３０】
この状態で、コック４６を捻ることにより、貯湯タンク内の温水が給湯用ホース４０を介してシャワー４２から放出される。この温水を上記担架に載せられた湯灌槽１０内の遺体にかけて洗い浄める。
【００３１】
この際、側壁１４にはテーパーがつけてあるので、水の流れがよい。また、底部１２には排水溝１６が形成されているので、使用済みの水が遺体からの汚垢、出血、排泄物、脱毛、治療に使われたバンソウコウテープ、包帯などの繊維屑などの汚物により汚染されている場合でも、効率よく排水することができる。即ち、使用済みの水は、排水溝１６に流れ込むようになっており、特に湯灌槽１０の前方では、使用済みの水は、排水溝１６の傾斜に従って、排水溝の第１部分１６Ｆから第２部分１６Ｂに向かって流れ、排水口１８から排水される。この場合、排水溝の第２部分１６Ｂは、排水口１８に近づくに従って徐々に幅が狭くなっているので、使用済みの水に含まれている汚物も流れ易くなっている。従って、排水の際には、湯灌槽内に汚物が残留することなく、効率よく排水することができる。
【００３２】
このようにして排出された水は、すべて排水用ホース５０を介して湯灌車内の排水タンク内に回収され、そのまま持ち帰る。
【００３３】
なお、排水溝の形状や大きさは、上記実施例に限定されるものではない。
【００３４】
【発明の効果】
以上述べたように、本発明の湯灌槽によれば、側壁にテーパーをつけるとともに底部に前方から後方に向かってテーパーがつけられた排水溝が形成されているため、効率よく排水することができる。また、平坦でない場所に対応して、安定して設置可能な自在脚を有する脚を有しているので、床面に傾斜があっても、湯灌槽を水平に保つことができ、安定した状態で湯灌を行うことが可能である。
【図面の簡単な説明】
【図１】本発明に係る湯灌車搭載用の湯灌槽の実施形態を示す側面図である。
【図２】図１に示す湯灌槽の正面図である。
【図３】図１に示す湯灌槽の平面図である。
【図４】図３に示す湯灌槽のＡ−Ａ断面における横断面図である。
【図５】図３に示す湯灌槽のＢ−Ｂ断面における横断面図である。
【図６】図３に示す湯灌槽のＣ−Ｃ断面における縦断面図である。
【符号の説明】
１０    湯灌槽
１２    底部
１４    側壁
１４Ｒ  右側壁
１４Ｌ  左側壁
１４Ｆ  前側壁
１４Ｂ  後側壁
１５ａ  テーパー部
１５ｂ  テーパー部
１６    排水溝
１６Ｆ  排水溝の第１部分
１６Ｂ  排水溝の第２部分
１８    排水口
１９    排水管
３０    脚
３２    延出部
３４    自在脚
４０    給湯用ホース
４２    シャワー
４４    取付部
４６    コック
５０    排水用ホース
【図１】
0003658214.tif 000002
【図２】
0003658214.tif 000003
【図３】
0003658214.tif 000004
【図４】
0003658214.tif 000005
【図５】
0003658214.tif 000006
【図６】
0003658214.tif 000007